(57)【要約】  【課題】  本体及び棒体の間に一定程度の回転抵抗を安定的に付与し得るペン型容器の連結構造を提供する。  【解決手段】  棒体１１を筒状の本体１２内に挿入して重複区間１を設け、重複区間内の棒体１１の外部にリング状弾性部材４を巻き付け、リング状弾性部材４をはさんで対向する棒体１１及び本体１２の各部分にリング状弾性部材４を介して棒体１１又は本体１２の軸線方向での移動を規制する周溝５をそれぞれ形成して棒体１１及び本体１２を軸線を中心として相対回転可能に連結してなり、棒体１１が相対回転時に本体１２に摺動される被摺動部２を有し、本体１２が相対回転時に被摺動部２に摺動する摺動部３を有し、リング状弾性部材４が棒体１１の周溝５１の後側部と本体１２の周溝５２の前側部との間に押し潰され、リング状弾性部材４の原形復帰力によって摺動部３が被摺動部２に押し付けられている。【選択図】  図１
2006102015.tif 000002
【特許請求の範囲】
【請求項１】
円柱状の外部を有する棒体をこの外部に対応する内部を有する筒状の本体内に挿入することで前後方向に重複する重複区間を設け、前記重複区間内であって棒体の外部に棒体の外周方向に沿ってリング形状を形成するリング状弾性部材を巻き付け、かつ、このリング状弾性部材をはさんで対向する棒体及び本体の各部分にリング状弾性部材を介して棒体又は本体の軸線方向での移動を規制する周溝をそれぞれ形成することで棒体及び本体を軸線を中心として相対回転可能に連結してなるペン型容器の連結構造であって、
前記棒体が相対回転時に前記本体によって摺動されるための被摺動部を有しており、前記本体が相対回転時に被摺動部に対して摺動するための摺動部を有しており、
前記リング状弾性部材が前記棒体の周溝の後側部と前記本体の周溝の前側部との間に押し潰されており、このリング状弾性部材の原形復帰力によって前記摺動部が前記被摺動部に押し付けられていることを特徴とするペン型容器の連結構造。
【請求項２】
前記リング状弾性部材は、前記棒体の周溝の前側部及び前記本体の周溝の後側部の少なくともいずれか一方に対して非接触状態にあることを特徴とする請求項１に記載のペン型容器の連結構造。
【発明の詳細な説明】
【技術分野】
【０００１】
本発明は、例えば使用者が内蔵される棒状化粧料を適宜繰り出して使用する棒状化粧料繰出容器に用いられるペン型容器の連結構造に関する。
【背景技術】
【０００２】
従来のペン型容器の連結構造としては、例えば円柱状の外部を有する棒体をこの外部に対応する内部を有する筒状の本体内に挿入することで前後方向に重複する重複区間を設け、重複区間内であって棒体の外部に棒体の外周方向に沿ってリング形状を形成するリング状弾性部材を巻き付け、かつ、このリング状弾性部材をはさんで対向する本体及び棒体の各部分にリング状弾性部材を介して本体又は棒体の軸線方向での移動を規制する周溝をそれぞれ形成することで本体及び棒体を抜脱不能に連結してなるものが開示されている（例えば、特許文献１参照）。
【特許文献１】特開平７−３２９４７８号公報
【発明の開示】
【発明が解決しようとする課題】
【０００３】
すなわち、従来のペン型容器の連結構造においては、棒体の外部に巻き付けられたリング状弾性部材を備えるとともにリング状弾性部材をはさんで対向する本体及び棒体の各部分にリング状弾性部材が収容される周溝をそれぞれ備えているので、リング状弾性部材を介して本体又は棒体の軸線方向での移動を規制することが可能となり、これにより、本体からの棒体の抜脱を防止することが可能となる。
ところで、従来のペン型容器の連結構造が本体及び棒体を抜脱不能であって軸線を中心として相対回転可能に連結してなる構造である場合の当該ペン型容器の連結構造に対しては、本体からの棒体の抜脱を防止し得るのみならず、化粧品としての高級感を相当に高めるという観点から、本体及び棒体の間に一定程度の回転抵抗を付与し得ることをも要請されている。
ここで、製品コストの低減を図るという観点からすれば、本体及び棒体の間に一定程度の回転抵抗を付与する技術的手段としては、既存のリング状弾性部材及び周溝の他に別個独立に設けたものではなく、既存のリング状弾性部材及び周溝を利用しながらかかる回転抵抗を付与し得るような簡易な構成を採用することが好ましい。
一方、リング状弾性部材の断面寸法と周溝の空間寸法とを最適化するという方法により本体及び棒体の間に一定程度の回転抵抗を安定的に付与することは、成形品の表面に生じるひけ等の種々の要因を考慮すれば、事実上相当に困難である。
【０００４】
そこで、本発明の課題は、既存のリング状弾性部材及び周溝を利用した簡易な構成を採用しながら、本体からの棒体の抜脱を防止し得るのみならず、本体及び棒体の間に一定程度の回転抵抗を安定的に付与し得るペン型容器の連結構造を提供することにある。
【課題を解決するための手段】
【０００５】
上記課題を解決するため、本発明に係るペン型容器の連結構造は、円柱状の外部を有する棒体をこの外部に対応する内部を有する筒状の本体内に挿入することで前後方向に重複する重複区間を設け、重複区間内であって棒体の外部に棒体の外周方向に沿ってリング形状を形成するリング状弾性部材を巻き付け、かつ、このリング状弾性部材をはさんで対向する棒体及び本体の各部分にリング状弾性部材を介して棒体又は本体の軸線方向での移動を規制する周溝をそれぞれ形成することで棒体及び本体を軸線を中心として相対回転可能に連結してなるペン型容器の連結構造であって、棒体が相対回転時に本体によって摺動されるための被摺動部を有しており、本体が相対回転時に被摺動部に対して摺動するための摺動部を有しており、リング状弾性部材が棒体の周溝の後側部と本体の周溝の前側部との間に押し潰されており、このリング状弾性部材の原形復帰力によって摺動部が被摺動部に押し付けられていることを特徴としている。
ここで、リング状弾性部材を介して棒体又は本体の軸線方向での移動を制する、といえるには、本体からの棒体の抜脱を防止し得る程度に棒体又は本体の相対的な移動の規制できればよく、棒体の本体への連結を着脱可能とすることを妨げない。
このようなペン型容器の連結構造によれば、相対回転時に、棒体が本体によって摺動されるための被摺動部を、本体が被摺動部に対して摺動するための摺動部をそれぞれ備え、しかも、リング状弾性部材の原形復帰力によって摺動部が被摺動部に押し付けられているので、既存のリング状弾性部材及び周溝を利用した簡易な構成を採用しながら、本体からの棒体の抜脱を防止することが可能となるのみならず、本体及び棒体の間に一定程度の回転抵抗を安定的に付与することが可能となり、その結果、高級感を相当に高めることが可能となる。
【０００６】
このような技術的手段において、リング状弾性部材の原形復帰力が本体の摺動部を棒体の被摺動部に押し付ける方向に作用するのを妨げる方向に作用する虞を完全に排除することとして、本体及び棒体の間に一定程度の回転抵抗をより安定的に付与するという観点からすれば、リング状弾性部材は、棒体の周溝の前側部及び本体の周溝の後側部の少なくともいずれか一方に対して非接触状態にあることが好ましい。
【発明の効果】
【０００７】
本発明に係るペン型容器の連結構造によれば、既存のリング状弾性部材及び周溝を利用した簡易な構成を採用しながら、本体からの棒体の抜脱が防止されるのみならず、本体及び棒体の間に一定程度の回転抵抗が安定的に付与されることとなる。
【発明を実施するための最良の形態】
【０００８】
以下、添付図面に基づいて本発明の実施の形態を詳細に説明する。
【０００９】
図１は本発明の一実施の形態に係るペン型容器の連結構造の全体構成を示す縦断面図、図２は同ペン型容器のうちカートリッジを示す縦断面図、図３は同ペン型容器のうち本体を示す縦断面図、図４は同ペン型容器の連結構造の部分構成を示す縦断面図、図５は同ペン型容器の連結構造の部分構成を示す縦断面図である。
【００１０】
本実施の形態に係るペン型容器の連結構造は、図１に示すように、棒状化粧料たるアイブロー１０を収容するとともに、使用者が収容されたアイブロー１０を相対回転により適宜繰り出して使用することを可能とするペン型容器としての棒状化粧料繰出容器に対して適用されるものである。
【００１１】
先ず、図１〜図３を用いて、本実施の形態に係るペン型容器の連結構造が適用される棒状化粧料繰出容器について説明する。
【００１２】
本実施の形態における棒状化粧料繰出容器は、図１〜図３に示すように、アイブロー１０を収容する棒体たるカートリッジ１１の後側部分を先端側に向けて開口する筒状の本体１２の前側区間１２ａの内部に着脱可能に連結してなるものである。
【００１３】
カートリッジ１１は、図２に示すように、先端にアイブロー１０を保持するための芯チャック６１ａを有し、外部に雄螺子６１ｂが形成された螺子棒６１と、螺子棒６１を内部に収容するとともに前側区間１１ａ内に形成された支持部６２ａによって芯チャック６１ａを回転不能かつ軸線方向に摺動可能に支持するスリーブ６２と、内部に形成された雌螺子６３ａによって雄螺子６１ｂを螺合させるとともにスリーブ６２の後側区間１１ｂ内で軸線を中心として回転可能かつ軸線方向に移動不能に支持された螺旋筒６３とを備えたものとして構成されている。
【００１４】
また、本体１２は、図３に示すように、その内側空間を前側区間１２ａと後側区間１２ｂとに仕切る仕切壁７１を有している。
【００１５】
ここで、同図に示すように、この仕切壁７１から前側に向けて突出する前側凸部７１ａが形成されているが、螺旋筒６３の後端部には、図２に示すように、前側凸部７１ａに対応する凹部６３ｂであって本体１２及び螺旋筒６３を軸線を中心として回転不能に連結するものが形成されている。
【００１６】
すなわち、本実施の形態においては、使用者が軸線を中心として本体１２及びカートリッジ１１を相対回転させた場合には、カートリッジ１１は螺子棒６１とともに同期に回転することになっているが、本体１２は螺旋筒６３とともに同期に回転することになっており、これにより、螺子棒６１の先端部たる芯チャック６１ａに保持されるアイブロー１０を適宜繰り出し又は繰り戻すことが可能となっている（図１参照）。
【００１７】
なお、本実施の形態においては、図３に示すように、仕切壁７１から後側に向けて突出する後側凸部７１ｂが形成されているが、これは、後側に向けて開口する本体１２の後側区間１２ｂの内部においてもカートリッジ１１とは別のカートリッジを収容し得ることを意味するものである。ただし、本実施の形態においては、同図に示すように、本体１２の後側区間１２ｂ内にカートリッジを収容せず、キャップ１３によって開口を閉塞してなる態様となっている。
【００１８】
次に、主として図１、図４及び図５を用いて、このような棒状化粧料繰出容器において具現化されたペン型容器の連結構造について説明する。
【００１９】
すなわち、本実施の形態におけるペン型容器の連結構造は、図１に示すように、棒体たるカートリッジ１１及び筒状の本体１２を軸線を中心として相対回転可能に連結する場合の当該連結構造として構成されている。
【００２０】
そして、このペン型容器の連結構造は、図１、図４及び図５に示すように、重複区間１と、カートリッジ１１のうち後述するスリーブ６２の被摺動部２と、本体１２の摺動部３と、リング状弾性部材たるＯリング４と、周溝５とを備えたものとして構成されている。
【００２１】
以下、これらの各構成要素についてさらに詳細に説明する。
【００２２】
（１）重複区間１
重複区間１は、図１に示すように、棒体たるカートリッジ１１を筒状の本体１２内に挿入することにより前後方向に重複する区間として設けられている。
【００２３】
ここで、カートリッジ１１のうちスリーブ６２は、図２に示すように、円柱状の外部を有しており、本体１２は、図３に示すように、スリーブ６２の外部に対応する内部を有している。
【００２４】
このような重複区間１により、カートリッジ１１及び本体１２を軸線を中心として相対回転可能に連結するという本実施の形態の基本的構造を実現することが可能となっており、また、Ｏリング４をスリーブ６２の外部に巻き付け、かつ、このＯリング４をはさんで対向するスリーブ６２及び本体１２の各部分に周溝５をそれぞれ形成することが可能となっている（図１参照）。
【００２５】
（２）スリーブ６２の被摺動部２
スリーブ６２の被摺動部２は、図１、図４及び図５に示すように、スリーブ６２のうち重複区間１の前端に位置する部分であって相対回転時に筒状の本体１２によって摺動される部分である。
【００２６】
このような被摺動部２及び後述する摺動部３により、Ｏリング４の原形復帰力を用いた本体１２の摺動部３のスリーブ６２の被摺動部２への恒常的な押し付け力の確保を通じて本体１２及びスリーブ６２の間に一定程度の回転抵抗を確保することが可能となっている（これらの図参照）。
【００２７】
（３）本体１２の摺動部３
本体１２の摺動部３は、図１、図４及び図５に示すように、本体１２のうち重複区間１の前端に位置する部分であって相対回転時にスリーブ６２の被摺動部２に対して摺動する部分である。
【００２８】
このような摺動部３及び前述した被摺動部２により、Ｏリング４の原形復帰力を用いた本体１２の摺動部３のスリーブ６２の被摺動部２への恒常的な押し付け力の確保を通じて本体１２及びスリーブ６２の間に一定程度の回転抵抗を確保することが可能となっている（これらの図参照）。
【００２９】
（４）Ｏリング４
Ｏリング４は、図１、図２、図４及び図５に示すように、重複区間１内であってスリーブ６２の外部にスリーブ６２の外周方向に沿ってリング形状を形成するものとして構成されている。
【００３０】
具体的には、このＯリング４は、断面円形形状を（例えば全周に亘って）有しており、合成ゴムで製造されたものとして構成されている（これらの図参照）。
【００３１】
なお、Ｏリング４としては、合成ゴムで製造されたものが用いられているが、これに限られるものではなく、これと同様な機能を発揮し得るものであれば、材質や名称の別を問わない。
【００３２】
ここで、Ｏリング４は、図４及び図５に示すように、スリーブ６２の周溝５１の後側部と本体１２の周溝５２の前側部との間に押し潰されており、このＯリング４の原形復帰力によって本体１２の摺動部３がスリーブ６２の被摺動部２に押し付けられている。
【００３３】
Ｏリング４に本体１２の摺動部３をスリーブ６２の被摺動部２に押し付けることを要求するのは、Ｏリング４の原形復帰力を用いて本体１２の摺動部３のスリーブ６２の被摺動部２への恒常的な押し付け力を確保することにより、本体１２及びスリーブ６２の間に一定程度の回転抵抗を安定的に付与することが可能なペン型容器の連結構造とするためである。したがって、このような役割を果たすものであれば、本発明において断面円形形状のＯリング４の代わりに断面楕円形状のＯリングその他の特有の断面形状のリング状弾性部材を用いることが可能である。
【００３４】
ここで、断面楕円形状のＯリングとしては、本体１２の摺動部３のスリーブ６２の被摺動部２への押し付け力が効率的かつ安定的に得られるようにする観点からすれば、図示しないが、前後方向に長いほぼ楕円形状であること、換言すれば、前後方向に設けた軸を長軸とし、かつ、前後方向と直交する方向に設けた軸を短軸とする断面楕円形状を（例えば全周に亘って）有していることが好ましい。
【００３５】
また、このような断面楕円形状のＯリングと同様な作用効果が得られるようにする観点からすれば、特有の断面形状のＯリングとしては、図示しないが、内側及び外側のいずれか一方に向けて口を開けた状態に形成される口形形状であって本体１２の摺動部３のスリーブ６２の被摺動部２への押し付け時にほぼ閉じた状態に変形するものを（例えば全周に亘って）有していることが好ましい。
【００３６】
ここで、Ｏリング４は、図４及び図５に示すように、スリーブ６２の周溝５１の前側部及び本体１２の周溝５２の後側部の双方に対して非接触状態にあるものとして構成されている。
【００３７】
このようなＯリング４により、Ｏリング４の原形復帰力が本体１２の摺動部３をスリーブ６２の被摺動部２に押し付ける方向に作用するのを妨げる方向に作用する虞を完全に排除することが可能となっており、その結果、本体１２及びスリーブ６２の間に一定程度の回転抵抗をより安定的に付与することが可能となっている。
【００３８】
（５）周溝５
周溝５は、このＯリング４をはさんで対向するスリーブ６２及び本体１２の各部分にそれぞれ形成されるものであり、スリーブ６２の周溝５１と本体１２の周溝５２とからなっている。
【００３９】
周溝５は、Ｏリング４を介することによりスリーブ６２又は本体１２の軸線方向における相対的な移動を規制する役割を果たすものとして構成されている。
【００４０】
すなわち、スリーブ６２を本体１２から抜脱させようとした場合には、Ｏリング４が、スリーブ６２の周溝５１の後側部及び本体１２の周溝５２の前側部に対してそれぞれ当接して邪魔をするので、スリーブ６２又は本体１２の軸線方向における相対的な移動を規制されることになる。
【００４１】
なお、本実施の形態においては、周溝５及びＯリング４によってスリーブ６２又は本体１２の軸線方向における相対的な移動を規制することは、カートリッジ１１の後側部分を筒状の本体１２の前側区間１２ａの内部に対して着脱可能とすることを妨げないのみならず、Ｏリング４を介在させない従来の着脱手段に比して、嵌着の際の抵抗を軽減し得る等の優れた効果をもたらすものとなっている。
【００４２】
ここで、周溝５は、スリーブ６２の周溝５１及び本体１２の周溝５２の間にＯリング４を介在させているのみならず、スリーブ６２の周溝５１の後側部と本体１２の周溝５２の前側部との間にＯリング４を押し潰した状態に置いているが、スリーブ６２の周溝５１の前側部及び本体１２の周溝５２の後側部の双方に対しては、Ｏリング４を非接触状態に置いている。
【００４３】
周溝５にその特定部分によってＯリング４を押し潰した状態に置くことを要求するのは、Ｏリング４の原形復帰力を用いて本体１２の摺動部３のスリーブ６２の被摺動部２への恒常的な押し付け力を確保することにより、本体１２及びスリーブ６２の間に一定程度の回転抵抗を安定的に付与することが可能なペン型容器の連結構造とするためである。したがって、このような役割を果たすものであれば、本発明においてスリーブ６２の周溝５１の前側部及び本体１２の周溝５２の後側部の双方に対してＯリング４が非接触状態にある周溝の代わりに、スリーブ６２の周溝５１の前側部及び本体１２の周溝５２の後側部のいずれか一方に対してＯリング４が非接触状態にある周溝その他の周溝を用いることが可能である。
【００４４】
なお、スリーブ６２の周溝５１の前側部及び本体１２の周溝５２の後側部の双方に対してＯリング４が非接触状態にある周溝５により、Ｏリング４の原形復帰力が本体１２の摺動部３をスリーブ６２の被摺動部２に押し付ける方向に作用するのを妨げる方向に作用する虞を完全に排除することが可能となっており、その結果、本体１２及びスリーブ６２の間に一定程度の回転抵抗をより安定的に付与することが可能となっている。
【００４５】
上記したように、本実施の形態におけるペン型容器の連結構造にあっては、相対回転時に、スリーブ６２が本体１２によって摺動されるためのスリーブ６２の被摺動部２を備え、かつ、本体１２が被摺動部２に対して摺動するための本体１２の摺動部３をそれぞれ備えており、しかも、Ｏリング４の原形復帰力によって本体１２の摺動部３がスリーブ６２の被摺動部２に押し付けられている。
【００４６】
したがって、このようなペン型容器の連結構造によれば、既存のＯリング４及び周溝５を利用した簡易な構成を採用しながら、本体１２からのカートリッジ１１の抜脱を防止することが可能となるのみならず、本体１２及びスリーブ６２の間に一定程度の回転抵抗を安定的に付与することが可能となっており、その結果、当該ペン型容器の高級感を相当に高めることが可能となっている。
【００４７】
以上、本実施の形態においては、使用者がアイブローを相対回転により適宜繰り出して使用することを可能とする棒状化粧料繰出容器に適用する場合について説明したが、本発明は、このような実施の形態に限定されるものではない。例えばアイライナー、リップライナーその他の棒状化粧料を相対回転により適宜繰り出して使用することを可能とする棒状化粧料繰出容器に適用してもよい。また、化粧品に限定されず筆記具、医薬品その他のペン型容器に広く適用可能である。
【図面の簡単な説明】
【００４８】
【図１】本発明の一実施の形態に係るペン型容器の連結構造の全体構成を示す縦断面図である。
【図２】同ペン型容器のうちカートリッジを示す縦断面図である。
【図３】同ペン型容器のうち本体を示す縦断面図である。
【図４】同ペン型容器の連結構造の部分構成を示す縦断面図である。
【図５】同ペン型容器の連結構造の部分構成を示す縦断面図である。
【符号の説明】
【００４９】
１ 重複区間
２ 被摺動部
３ 摺動部
４ Ｏリング
５ 周溝
１０ アイブロー
１１ カートリッジ
１１ａ 前側区間
１１ｂ 後側区間
１２ 本体
１２ａ 前側区間
１２ｂ 後側区間
１３ キャップ
５１ スリーブの周溝
５２ 本体の周溝
６１ 螺子棒
６１ａ 芯チャック
６１ｂ 雄螺子
６２ スリーブ
６２ａ 支持部
６３ 螺旋筒
６３ａ 雌螺子
６３ｂ 凹部
７１ 仕切壁
７１ａ 前側凸部
７１ｂ 後側凸部
【図１】
2006102015.tif 000003
【図２】
2006102015.tif 000004
【図３】
2006102015.tif 000005
【図４】
2006102015.tif 000006
【図５】
2006102015.tif 000007